(57)【要約】【課題】簡単な操作で補聴器を使用しながらでも快適に利用することができるヘッドホンを提供する。【解決手段】電気信号を音響信号に変換する電気音響変換手段１８を有し、耳に当接されるヘッドホンユニット１２Ａ、１２Ｂを備えている。このヘッドホンユニット１２Ａ、１２Ｂの枠体１３Ａ、１３Ｂは、耳に装着した状態の補聴器２４、２５を収容しうる大きさに形成されている。ヘッドホンユニット１２Ａ、１２Ｂの枠体１３Ａ、１３Ｂ内に、ヘッドホン装着時の押圧力で補聴器２４、２５の外形に倣って変形する粘土状の柔らかい素材からなる当て部材２１を配設した。当て部材２１は枠体１３Ａ、１３Ｂ内に着脱自在に配備され、使用後捨てられる。個人的に専用に使われる当て部材はそのまま使い続けることができる。【選択図】  図２
2005101684.tif 000002
【特許請求の範囲】
【請求項１】
電気信号を音響信号に変換する電気音響変換手段を有し、耳に当接されるヘッドホンユニットを備え、
前記ヘッドホンユニットの枠体が、耳に装着した状態の補聴器を収容しうる大きさに形成され、
前記ヘッドホンユニットの枠体内に、ヘッドホン装着時の押圧力で前記補聴器の外形に倣って変形する粘土状の柔らかい素材からなる当て部材を配設したことを特徴とするヘッドホン。
【請求項２】
請求項１記載のヘッドホンにおいて、
前記当て部材は、軽い押圧力で潰れて変形する発泡プラスチック体から構成したことを特徴とするヘッドホン。
【請求項３】
請求項１又は２記載のヘッドホンにおいて、
前記当て部材は、前記枠体内に着脱自在に配備されるものであることを特徴とするヘッドホン。
【発明の詳細な説明】
【技術分野】
【０００１】
本発明は、利用者が耳に装着してオーディオ再生等を聞くことができ、特に補聴器をしている人も快適に使用することができるヘッドホンに関する。
【背景技術】
【０００２】
一般的に、ヘッドホンは、携帯型のラジオ、テープレコーダ、ＣＤ（Ｃompact  Disc）又はＭＤ(Mini  Disc) プレーヤ等から出力された音声信号を人間の耳もとで小型スピーカなどにより音声に変換するように構成されているものである。
図１に示されるように、従来から一般に使用されているヘッドホン１０は、利用者の左右の耳と対応して左右一対のヘッドホンユニット１２Ａ、１２Ｂが互いに向かい合って設けられている。左右一対のヘッドホンユニット１２Ａ、１２Ｂは、左右一対の枠体１３Ａ、１３Ｂ内に入力電気信号を音波信号に変換する電気音響変換器（スピーカ部）１８（図２）を夫々収容している。左右一対の枠体１３Ａ、１３Ｂの外両側に、左右一対のハンガーアーム１５Ａ、１５Ｂを回動自在に取付けて構成されている。また、左右一対のヘッドホンユニット１２Ａ、１２Ｂを連結するために、可撓性を有する略円弧状のヘッドバンド１６を形成し、このヘッドバンド１６の両端を、左右一対のハンガーアーム１５Ａ、１５Ｂに連結している。１７Ａ、１７Ｂは電気コードを示している（特許文献１参照）。
【特許文献１】特開２０００−１６５９７５号公報
【発明の開示】
【発明が解決しようとする課題】
【０００３】
ところで、上記の技術には、次のような解決すべき課題があった。
図４に示されるような形状の補聴器(挿耳型補聴器)２４を、耳２３の耳穴に取付けている場合やさらに図５に示されるような形状の補聴器(耳掛け形補聴器)２５を、耳介２６の外側に取付けている場合に、ヘッドホンを装着しようとすると、いずれもヘッドホンユニット１２Ａ、１２Ｂが補聴器２４、２５を圧迫して耳の周辺に押し付けるので、痛みを感じたり装着感が悪いことがある。また、音響特性が悪くなったり耳孔に異物を圧入する不快感があった。
【０００４】
本発明は、以上の点に着目してなされたもので、簡単な操作で補聴器を使用しながらでも快適に利用することができるヘッドホンを提供することを目的とする。
【課題を解決するための手段】
【０００５】
本発明は以上の点を解決するため次の構成を採用する。
〈構成１〉
電気信号を音響信号に変換する電気音響変換手段を有し、耳に当接されるヘッドホンユニットを備え、上記ヘッドホンユニットの枠体が、耳に装着した状態の補聴器を収容しうる大きさに形成され、上記ヘッドホンユニットの枠体内に、ヘッドホン装着時の押圧力で上記補聴器の外形に倣って変形する粘土状の柔らかい素材からなる当て部材を配設したことを特徴とするヘッドホン。
【０００６】
ヘッドホンユニットの枠体とは、耳の周囲を取り巻く枠体であり、通常の金属、プラスチック等の硬質材料により形成されている。ヘッドホンユニットの枠体の内側に、粘土状の柔らかい素材で形成した当て部材を装入している。当て部材は、ヘッドホン使用時には耳に当接するもので、使用後捨てられる。個人的に専用に使われる当て部材は、そのまま使い続けることができる。なお、本発明に係るヘッドホンとしては、左右一対のヘッドホンユニットを備えたものに限られず、左右いずれかの耳部に当接して利用されるヘッドホンユニットを備えたものを含むものである。また、補聴器は難聴者が耳部に装着して利用するものであり各種形状のものがある。本発明は各種形状の補聴器に対応可能である。
【０００７】
〈構成２〉
構成１記載のヘッドホンにおいて、上記当て部材は軽い押圧力で潰れて変形する発泡プラスチック体から構成したことを特徴とするヘッドホン。
【０００８】
軽い押圧力とは、ヘッドホン利用者が発泡プラスチック体を指で軽く押して所望の形に変形できる程度の押圧力である。例えば、ヘッドホンの枠体の内側を満たす材料として、発泡プラスチック体であって、指で簡単につぶせて塑性変形するような素材を使用する。すなわち、利用者は、ヘッドホンを借り受けて、その発泡体の部分をその場で自由に自分の耳や補聴器の形に合わせて変形することができる。例えば、そのまま耳に押し付けて、補聴器があたる部分が変形すれば、自動的に各利用者の状況に応じた適切な形状になる。
【０００９】
〈構成３〉
構成１又は２記載のヘッドホンにおいて、上記当て部材は上記枠体内に着脱自在に配備されるものであることを特徴とするヘッドホン。
【００１０】
当て部材は自由に着脱可能とされて、共用あるいは専用の利用とすることができる。特に共用のヘッドホンは、清潔さが重要であり、当て部材のようにちょうど耳に接する部品を、利用者が変わる度に交換できるようにすることによって、清潔感を保つことができる。
【発明を実施するための最良の形態】
【００１１】
以下、本発明の実施の形態を具体例を用いて説明する。
【実施例１】
【００１２】
図２、図３は、図１に示したヘッドホンに本発明を適用した実施例の要部を示す図であり、図１と同一部分には同一符号を付している。
図２において、ヘッドホンユニット１２Ａの枠体１３Ａは、よく知られた金属やプラスチック等の通常の硬質材料により形成されている。枠体１３Ａは、その内径が耳に装着された状態の補聴器２４（図４）、２５（図５）等も収容できる大きさに形成されている。枠体１３Ａの内側に、当て部材２１が着脱自在に装入されている。当て部材２１はヘッドホン装着時の押圧力で補聴器の外形に倣って変形する柔らかい粘土状の素材からなり、例えば、図３に示すような円環状に形成されている。
【００１３】
当て部材２１は、指で押圧して任意形状に変形できる程度の軽い押圧力で潰れて復元することなく変形する、例えば、発泡プラスチック体から構成されている。ヘッドホン利用者は、その発泡体からなる当て部材２１を自由に自分の耳や補聴器の形に合わせてつぶす。あるいは、そのまま耳に押し付けて、補聴器が当たる部分がつぶれれば、復元せずに自動的に適切な形状になる。
当て部材２１の中央孔の奥部に入力信号を音波に変換する電気音響変換器１８が配備されている。
【００１４】
図６は、本発明のヘッドホンを、図４に示した耳部に装着したときの当て部材２１を示した図である。耳２３の耳穴に取付けるタイプの補聴器２４を掛けている場合、当て部材２１の中央孔周辺に、補聴器２４の外形に対応した凹部２７が形成される。この凹部２７内に補聴器２４と耳部２３が収まり何ら支障なくヘッドホンを取付けることができる。
【００１５】
また、図７は、本発明のヘッドホンを、図５に示した耳部に装着したときの当て部材２１を示した図である。耳介２６に取付けるタイプの補聴器２５を掛けている場合、当て部材２１には補聴器２５の外形に倣って湾曲した凹部２８が形成される。この凹部２８内に補聴器２５と耳介２６が収まり何ら支障なくヘッドホンを取付けることができる。
【００１６】
当て部材２１は、ヘッドホン使用時には耳に当接するもので、使用後捨てられる。そして次にヘッドホンが利用されるときに新規の当て部材２１が装入される。個人的に専用に使われる当て部材は、そのまま使い続けることができる。
【図面の簡単な説明】
【００１７】
【図１】ヘッドホンの構成を示す正面図である。
【図２】本発明のヘッドホンユニットの要部を示す正面図である。
【図３】図２に示したヘッドホンユニットに取付けられた当て部材を示す正面図である。
【図４】補聴器を耳に装着した状態を示す断面図である。
【図５】図４とは異なる種類の補聴器を耳に装着した状態を示す断面図である。
【図６】本発明の当て部材の使用状況を示す図で、（ａ）は正面図、（ｂ）は（ａ）のＡ−Ａ線に沿う断面図である。
【図７】本発明の当て部材の他の使用状況を示す図で、（ａ）は正面図、（ｂ）は（ａ）のＢ−Ｂ線に沿う断面図である。
【符号の説明】
【００１８】
１０  ヘッドホン
１２Ａ、１２Ｂ  ヘッドホンユニット
１３Ａ、１３Ｂ  枠体
１５Ａ、１５Ｂ  ハンガーアーム
１６  ヘッドバンド
１８  電気音響変換器
２１  当て部材
２４、２５  補聴器
２７、２８  凹部
【図１】
2005101684.tif 000003
【図２】
2005101684.tif 000004
【図３】
2005101684.tif 000005
【図４】
2005101684.tif 000006
【図５】
2005101684.tif 000007
【図６】
2005101684.tif 000008
【図７】
2005101684.tif 000009